(57)【特許請求の範囲】
【請求項１】
測定規則の識別情報と、測定対象の識別情報と、該測定規則の識別情報と該測定対象の識別情報との関連付け情報とを記憶するように構成されている測定情報記憶部と、
前記測定情報記憶部に記憶されている前記測定対象の識別情報によって規定されている周波数が用いられているセルにおける無線品質の測定を行うように構成されている測定部と、
前記無線品質の測定結果に基づいて、前記測定対象の識別情報に関連付けられている前記測定規則の識別情報によって定義されている判定条件が満たされると判定した場合に、無線基地局に対して測定報告を送信するように構成されている測定報告送信部と、
前記無線基地局からの指示に応じて、異周波数ハンドオーバを行うように構成されているハンドオーバ処理部とを具備し、
前記異周波数ハンドオーバが行われる場合、前記測定情報記憶部は、現在通信中のセルに対応する第１測定対象の識別情報と第１関連付け情報との関連付けを、ハンドオーバ先のセルに対応する第２測定対象の識別情報と該第１関連付け情報との関連付けに変更し、該第２測定対象の識別情報と第２関連付け情報の関連付けを、該第１測定対象の識別情報と該第２関連付け情報の関連付けに変更するように構成されていることを特徴とする移動局。
【請求項２】
測定規則の識別情報と、測定対象の識別情報と、該測定規則の識別情報と該測定対象の識別情報との関連付け情報とを記憶するように構成されている測定情報記憶部と、
前記測定情報記憶部に記憶されている前記測定対象の識別情報によって規定されている周波数が用いられているセルにおける無線品質の測定を行うように構成されている測定部と、
前記無線品質の測定結果に基づいて、前記測定対象の識別情報に関連付けられている前記測定規則の識別情報によって定義されている判定条件が満たされると判定した場合に、無線基地局に対して測定報告を送信するように構成されている測定報告送信部と、
前記無線基地局からの指示に応じて、異周波数ハンドオーバを行うように構成されているハンドオーバ処理部とを具備し、
前記測定情報記憶部は、前記異周波数ハンドオーバが行われる場合で、かつ、ハンドオーバ先のセルに対応する第２測定対象の識別情報を記憶していない場合、現在通信中のセルに対応する第１測定対象の識別情報に関連付けられている第１関連付け情報を削除するように構成されていることを特徴とする移動局。
【請求項３】
前記無線基地局からの指示において、前記異周波数ハンドオーバを行うことに加えて、前記測定情報記憶部における記憶内容に対する変更を指示している場合、前記測定情報記憶部は、前記変更を行った後に、前記測定情報記憶部における記憶内容に対する変更を行うように構成されていることを特徴とする請求項１に記載の移動局。
【請求項４】
測定規則の識別情報と、測定対象の識別情報と、該測定規則の識別情報と該測定対象の識別情報との関連付け情報とを記憶するように構成されている移動局に対して、無線基地局が、測定規則を追加或いは削除するように指定する測定規則指定コマンド、及び、測定対象を追加或いは削除するように指定する測定対象指定コマンドを送信する工程Ａと、
前記移動局が、記憶している前記測定対象の識別情報によって規定されている周波数が用いられているセルにおける無線品質の測定を行う工程Ｂと、
前記移動局が、前記無線品質の測定結果に基づいて、前記測定対象の識別情報に関連付けられている前記測定規則の識別情報によって定義されている判定条件が満たされると判定した場合に、前記無線基地局に対して測定報告を送信する工程Ｃと、
前記無線基地局が、前記測定報告に基づいて、前記移動局が異周波数ハンドオーバを行うべきであるか否かについて決定する工程Ｄと、
前記移動局が、前記無線基地局からの指示に応じて、異周波数ハンドオーバを行う場合、前記異周波数ハンドオーバが行われる場合、現在通信中のセルに対応する第１測定対象の識別情報と第１関連付け情報との関連付けを、ハンドオーバ先のセルに対応する第２測定対象の識別情報と該第１関連付け情報との関連付けに変更し、該第２測定対象の識別情報と第２関連付け情報の関連付けを、該第１測定対象の識別情報と該第２関連付け情報の関連付けに変更する工程Ｅとを有することを特徴とする移動通信方法。
【請求項５】
測定規則の識別情報と、測定対象の識別情報と、該測定規則の識別情報と該測定対象の識別情報との関連付け情報とを記憶するように構成されている移動局に対して、無線基地局が、測定規則を追加或いは削除するように指定する測定規則指定コマンド、及び、測定対象を追加或いは削除するように指定する測定対象指定コマンドを送信する工程Ａと、
前記移動局が、記憶している前記測定対象の識別情報によって規定されている周波数が用いられているセルにおける無線品質の測定を行う工程Ｂと、
前記移動局が、前記無線品質の測定結果に基づいて、前記測定対象の識別情報に関連付けられている前記測定規則の識別情報によって定義されている判定条件が満たされると判定した場合に、前記無線基地局に対して測定報告を送信する工程Ｃと、
前記無線基地局が、前記測定報告に基づいて、前記移動局が異周波数ハンドオーバを行うべきであるか否かについて決定する工程Ｄと、
前記移動局が、前記無線基地局からの指示に応じて、異周波数ハンドオーバを行う場合、かつ、ハンドオーバ先のセルに対応する第２測定対象の識別情報を記憶していない場合、現在通信中のセルに対応する第１測定対象の識別情報に関連付けられている第１関連付け情報を削除する工程Ｅとを有することを特徴とする移動通信方法。
【請求項６】
前記工程Ｅにおいて、前記無線基地局からの指示において、前記異周波数ハンドオーバを行うことに加えて、前記移動局における記憶内容に対する変更を指示している場合、前記移動局は、前記変更を行った後に、前記移動局における記憶内容に対する変更を行うことを特徴とする請求項４に記載の移動通信方法。
【発明の詳細な説明】
【技術分野】
【０００１】
本発明は、移動局及び移動通信方法に関する。
【背景技術】
【０００２】
従来から、異なる周波数が用いられている複数のセル（周波数セル）が混在する通信環境において、移動局ＵＥについての異周波数ハンドオーバを行うことが可能な移動通信システムが規定されている。
【０００３】
具体的には、３ＧＰＰで規定されている「ＬＴＥ（Ｌｏｎｇ  Ｔｅｒｍ  Ｅｖｏｌｕｔｉｏｎ）」方式の移動通信システムでは、移動局ＵＥが、現在通信中の周波数セルの隣接セル（異周波数セル）における無線品質を測定し、判定条件を参照して、測定された無線品質が所定無線品質を満たすと判定した場合、その旨を示す測定報告（Ｍｅａｓｕｒｅｍｅｎｔ  Ｒｅｐｏｒｔ）を無線基地局ｅＮＢに対して送信し、無線基地局ｅＮＢが、受信した測定報告に応じて、当該移動局ＵＥについて、現在通信中の周波数セルから、より無線品質の良い別の周波数セルに、異周波数ハンドオーバを行うべき旨を決定するように構成されている。
【０００４】
ここで、ＬＴＥ方式の移動通信システムは、既に展開されているＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）方式の移動通信システムやＧＥＲＡＮ（ＧＳＭ  ＥＤＧＥ  Ｒａｄｉｏ  Ａｃｃｅｓｓ  Ｎｅｔｗｏｒｋ）方式の移動通信システムといった他の方式の移動通信システムと共存し、これらの移動通信システムとの間のモビリティをサポートする必要がある。
【０００５】
なお、異なる移動通信システムでは、提供されるサービスや伝送速度や無線効率等に差があり、ユーザの契約条件や利用サービスによって通信に最適な移動通信システムが異なる。
【０００６】
また、ＬＴＥ方式の移動通信システムは、１.４ＭＨｚから２０ＭＨｚの様々な帯域幅をサポートするため、帯域幅が異なる複数のＬＴＥキャリア（周波数）が存在する場合、利用サービスによって最適な周波数が異なってくる。
【０００７】
例えば、大量なデータを瞬時にダウンロードしたいサービスでは、広帯域なキャリア（周波数）が好ましいが、音声サービスやマシン間通信のようなサービスでは、必ずしも広帯域なキャリア（周波数）を用いる必要はない。
【０００８】
また、移動通信システム（ＲＡＴ）間やキャリア（周波数）間の混雑度合いに応じて、柔軟にＲＡＴや周波数を切り替えることが望ましい。
【０００９】
よって、ユーザの契約条件や利用サービスや混雑度合いに応じて、ＲＡＴや周波数を柔軟に切り替えることができる方法が必要となり、特に、ＲＡＴ毎や周波数毎に優先度を指定できる制御方法が必要となる。
【非特許文献１】３ＧＰＰ  ＴＳ２５．３３１  ｖ７．６．０，  Ｏｃｔｏｂｅｒ  ２００７．
【発明の開示】
【発明が解決しようとする課題】
【００１０】
しかしながら、従来の移動通信システムでは、複数の移動通信システム（ＲＡＴ）やキャリア（周波数）の間で、それらの優先度に応じて、上述の判定条件を柔軟に変更することができないという問題点があった。
【００１１】
そこで、本発明は、上述の課題に鑑みてなされたものであり、移動局ＵＥによって測定報告を送信するべきか否かについて判定するための判定条件について柔軟に変更することができる移動局及び移動通信方法を提供することを目的とする。
【課題を解決するための手段】
【００１２】
本発明の第１の特徴は、移動局であって、測定規則と測定対象とを関連付けて記憶するように構成されている測定情報記憶部と、前記測定情報記憶部に記憶されている前記測定対象によって規定されている周波数が用いられている異周波数セルにおける無線品質の測定を行うように構成されている測定部と、前記無線品質の測定結果に基づいて、前記測定対象に関連付けられている前記測定規則によって定義されている判定条件が満たされると判定した場合に、前記無線基地局に対して測定報告を送信するように構成されている測定報告送信部と、前記無線基地局からの指示に応じて、異周波数ハンドオーバを行うように構成されているハンドオーバ処理部とを具備し、前記異周波数ハンドオーバが行われた場合、前記測定情報記憶部は、前記測定規則と前記測定対象との関連付けを変更するように構成されていることを要旨とする。
【００１３】
本発明の第１の特徴において、前記測定対象は、各異周波数セルにおいて用いられている周波数及び該周波数の優先度を規定しており、前記異周波数ハンドオーバが行われた場合、前記測定情報記憶部は、前記測定対象によって規定されている前記周波数の優先度に応じて、前記測定規則と該測定対象との関連付けを変更するように構成されていてもよい。
【００１４】
本発明の第１の特徴において、前記測定部は、前記異周波数セルにおける無線品質の測定として、現在通信中のセルよりも高い優先度の周波数が用いられている異周波数セルにおける無線品質を測定する第１測定、現在通信中のセルと同じ優先度が用いられている異周波数セルにおける無線品質を測定する第２測定、現在通信中のセルよりも低い優先度の周波数が用いられている異周波数セルにおける無線品質を測定する第３測定のいずれかを行うように構成されていてもよい。
【００１５】
本発明の第１の特徴において、前記第１測定によって測定された無線品質に基づいて測定報告を送信すべきか否かについて判定するための第１判定条件と、前記第２測定によって測定された無線品質に基づいて測定報告を送信すべきか否かについて判定するための第２判定条件と、前記第３測定によって測定された無線品質に基づいて測定報告を送信すべきか否かについて判定するための第３判定条件とが異なってもよい。
【００１６】
本発明の第２の特徴は、移動通信方法であって、無線基地局が、測定規則と測定対象とを関連付けて記憶するように構成されている移動局に対して、測定規則を追加或いは削除するように指定する測定規則指定コマンド、及び、測定対象を追加或いは削除するように指定する測定対象指定コマンドを送信する工程Ａと、前記移動局が、記憶している前記測定対象によって規定されている周波数が用いられている異周波数セルにおける無線品質の測定を行う工程Ｂと、前記移動局が、前記無線品質の測定結果に基づいて、前記測定対象に関連付けられている前記測定規則によって定義されている判定条件が満たされると判定した場合に、前記無線基地局に対して測定報告を送信する工程Ｃと、前記無線基地局が、前記測定報告に基づいて、前記移動局が異周波数ハンドオーバを行うべきであるか否かについて決定する工程Ｄと、前記移動局が、前記無線基地局からの指示に応じて、異周波数ハンドオーバを行った場合、前記測定規則と前記測定対象との関連付けを変更する工程Ｅとを有することを要旨とする。
【００１７】
本発明の第２の特徴において、前記測定対象は、各異周波数セルにおいて用いられている周波数及び該周波数の優先度を規定しており、前記工程Ｅにおいて、前記異周波数ハンドオーバが行われた場合、前記移動局は、前記測定対象によって規定されている前記周波数の優先度に応じて、前記測定規則と該測定対象との関連付けを変更してもよい。
【００１８】
本発明の第２の特徴において、前記工程Ｂにおいて、前記移動局は、前記異周波数セルにおける無線品質の測定として、現在通信中のセルよりも高い優先度の周波数が用いられている異周波数セルにおける無線品質を測定する第１測定、現在通信中のセルと同じ優先度が用いられている異周波数セルにおける無線品質を測定する第２測定、現在通信中のセルよりも低い優先度の周波数が用いられている異周波数セルにおける無線品質を測定する第３測定のいずれかを行ってもよい。
【００１９】
本発明の第２の特徴において、前記第１測定によって測定された無線品質に基づいて測定報告を送信すべきか否かについて判定するための第１判定条件と、前記第２測定によって測定された無線品質に基づいて測定報告を送信すべきか否かについて判定するための第２判定条件と、前記第３測定によって測定された無線品質に基づいて測定報告を送信すべきか否かについて判定するための第３判定条件とが異なってもよい。
【００２０】
本発明の第１の特徴において、前記測定情報記憶部は、前記測定規則の識別情報と、前記測定対象の識別情報と、前記測定規則の識別情報と前記測定対象の識別情報との関連付け情報とを記憶することによって、該測定規則と該測定対象とを関連付けて記憶するように構成されており、前記測定情報記憶部は、前記異周波数ハンドオーバが行われる場合、現在通信中のセルに対応する第１測定対象の識別情報と、ハンドオーバ先のセルに対応する第２測定対象の識別情報とを入れ替えるように構成されていてもよい。
【００２１】
本発明の第１の特徴において、前記測定情報記憶部は、前記測定規則の識別情報と、前記測定対象の識別情報と、前記測定規則の識別情報と前記測定対象の識別情報との関連付け情報とを記憶することによって、該測定規則と該測定対象とを関連付けて記憶するように構成されており、前記測定情報記憶部は、前記異周波数ハンドオーバが行われる場合、現在通信中のセルに対応する第１測定対象の識別情報と第１測定規則の識別情報とを関連付ける第１関連付け情報における該第１測定対象の識別情報と、ハンドオーバ先のセルに対応する第２測定対象の識別情報と第２測定規則の識別情報とを関連付ける第２関連付け情報における該第２測定対象の識別情報とを入れ替えるように構成されていてもよい。
【００２２】
本発明の第１の特徴において、前記測定情報記憶部は、前記異周波数ハンドオーバが行われる場合、ハンドオーバ先のセルに対応する前記第２測定対象の識別情報を記憶していない場合、該第２測定対象の識別情報と前記第２測定規則の識別情報とを関連付ける前記第２関連付け情報を削除するように構成されていてもよい。
【００２３】
本発明の第１の特徴において、前記無線基地局からの指示において、前記異周波数ハンドオーバを行うことに加えて、前記測定情報記憶部における記憶内容に対する変更を指示している場合、前記測定情報記憶部は、前記入れ替えを行った後に、前記測定情報記憶部における記憶内容に対する変更を行うように構成されていてもよい。
【００２４】
本発明の第２の特徴において、前記移動局は、前記測定規則の識別情報と、前記測定対象の識別情報と、前記測定規則の識別情報と前記測定対象の識別情報との関連付け情報とを記憶することによって、該測定規則と該測定対象とを関連付けて記憶するように構成されており、前記工程Ｅにおいて、前記移動局は、前記異周波数ハンドオーバが行われる場合、現在通信中のセルに対応する第１測定対象の識別情報と、ハンドオーバ先のセルに対応する第２測定対象の識別情報とを入れ替えてもよい。
【００２５】
本発明の第２の特徴において、前記移動局は、前記測定規則の識別情報と、前記測定対象の識別情報と、前記測定規則の識別情報と前記測定対象の識別情報との関連付け情報とを記憶することによって、該測定規則と該測定対象とを関連付けて記憶するように構成されており、前記工程Ｅにおいて、前記移動局は、前記異周波数ハンドオーバが行われる場合、現在通信中のセルに対応する第１測定対象の識別情報と第１測定規則の識別情報とを関連付ける第１関連付け情報における該第１測定対象の識別情報と、ハンドオーバ先のセルに対応する第２測定対象の識別情報と第２測定規則の識別情報とを関連付ける第２関連付け情報における該第２測定対象の識別情報とを入れ替えてもよい。
【００２６】
本発明の第２の特徴において、前記工程Ｅにおいて、前記移動局は、前記異周波数ハンドオーバが行われる場合、ハンドオーバ先のセルに対応する前記第２測定対象の識別情報を記憶していない場合、該第２測定対象の識別情報と前記第２測定規則の識別情報とを関連付ける前記第２関連付け情報を削除してもよい。
【００２７】
本発明の第２の特徴において、前記工程Ｅにおいて、前記無線基地局からの指示において、前記異周波数ハンドオーバを行うことに加えて、前記移動局における記憶内容に対する変更を指示している場合、前記移動局は、前記入れ替えを行った後に、前記移動局における記憶内容に対する変更を行ってもよい。
【発明の効果】
【００２８】
以上説明したように、本発明によれば、移動局ＵＥによって測定報告を送信するべきか否かについて判定するための判定条件について柔軟に変更することができる移動局及び移動通信方法を提供することができる。
【発明を実施するための最良の形態】
【００２９】
（本発明の第１の実施形態に係る移動通信システムの構成）
図１乃至図５を参照して、本発明の第１の実施形態に係る移動通信システムの構成について説明する。
【００３０】
図１に示すように、本実施形態に係る移動通信システムでは、周波数ｆ１が用いられているＬＴＥ方式の移動通信システムのセルであるＬＴＥセル＃１と、周波数ｆ２が用いられているＬＴＥ方式の移動通信システムのセルであるＬＴＥセル＃２と、周波数ｆ３が用いられているＬＴＥ方式の移動通信システムのセルであるＬＴＥセル＃３と、周波数ｆ４が用いられているＵＴＲＡＮ方式の移動通信システムのセルであるＵＴＲＡＮセル＃１と、周波数ｆ５が用いられているＵＴＲＡＮ方式の移動通信システムのセルであるＵＴＲＡＮセル＃２と、周波数（バンド）ｆ６が用いられているＧＥＲＡＮ方式の移動通信システムのセルであるＧＥＲＡＮセル＃１とが混在している。
【００３１】
図１の例では、移動局ＵＥは、ＬＴＥセル＃３との間で通信中であり、ＬＴＥセル＃１、ＬＴＥセル＃２、ＵＴＲＡＮセル＃１、ＵＴＲＡＮセル＃２、ＧＥＲＡＮセル＃１における無線品質を測定することができるものとする。
【００３２】
図２に示すように、本実施形態に係る移動局ＵＥは、Ｍｅａｓｕｒｅｍｅｎｔ  Ｒｕｌｅ指定コマンド受信部１１と、Ｍｅａｓｕｒｅｍｅｎｔ  Ｏｂｊｅｃｔ指定コマンド受信部１２と、測定情報記憶部１３と、測定部１４と、Ｍｅａｓｕｒｅｍｅｎｔ  Ｒｅｐｏｒｔ送信部１５と、ハンドオーバ処理部１６とを具備している。
【００３３】
Ｍｅａｓｕｒｅｍｅｎｔ  Ｒｕｌｅ指定コマンド受信部１１は、報知信号又は個別信号を介して無線基地局ｅＮＢから送信されたＭｅａｓｕｒｅｍｅｎｔ  Ｒｕｌｅ指定コマンド（測定規則指定コマンド）を受信し、測定情報記憶部１３における「Ｍｅａｓｕｒｅｍｅｎｔ  Ｒｕｌｅ（測定規則）」の追加或いは削除を行うように構成されている。
【００３４】
Ｍｅａｓｕｒｅｍｅｎｔ  Ｒｕｌｅ（或いは、「Ｒｅｐｏｒｔｉｎｇ  Ｃｏｎｇｆｉｇｕｒａｔｉｏｎ」と呼んでもよい）は、移動局ＵＥに対して、現在通信中のセルと異なる周波数が用いられている異周波数セルにおける無線品質の測定結果に基づいてＭｅａｓｕｒｅｍｅｎｔ  Ｒｅｐｏｒｔを送信すべきか否かについて判定するための判定条件を定義するものである。
【００３５】
具体的には、上述のＭｅａｓｕｒｅｍｅｎｔ  Ｒｕｌｅは、「Ｍｅａｓｕｒｅｍｅｎｔ  Ｒｕｌｅ-ＩＤ」によって識別され、「Ｅｖｅｎｔ-Ｔｙｐｅ」と「パラメータ」とによって規定されている判定条件を定義するものである（図３参照）。
【００３６】
なお、「Ｍｅａｓｕｒｅｍｅｎｔ  Ｒｕｌｅ-ＩＤ」は、当該「Ｍｅａｓｕｒｅｍｅｎｔ  Ｒｕｌｅ」によって定義される判定条件を識別するための情報である。
【００３７】
「Ｅｖｅｎｔ-Ｔｙｐｅ」は、当該「Ｍｅａｓｕｒｅｍｅｎｔ  Ｒｕｌｅ」によって定義される判定条件は、後述する第１判定条件乃至第３判定条件のいずれに該当するものであるのかについて示す情報である。
【００３８】
ここで、第１判定条件は、第１測定によって測定された無線品質に基づいてＭｅａｓｕｒｅｍｅｎｔ  Ｒｅｐｏｒｔを送信すべきか否かについて判定するための判定条件であり、第２判定条件は、第２測定によって測定された無線品質に基づいてＭｅａｓｕｒｅｍｅｎｔ  Ｒｅｐｏｒｔを送信すべきか否かについて判定するための判定条件であり、第３判定条件は、第３測定によって測定された無線品質に基づいてＭｅａｓｕｒｅｍｅｎｔ  Ｒｅｐｏｒｔを送信すべきか否かについて判定するための判定条件である。
【００３９】
また、第１測定は、移動局ＵＥが現在通信中のセルよりも高い優先度の周波数が用いられている異周波数セルにおける無線品質を測定するものであり、第２測定は、移動局ＵＥが現在通信中のセルと同じ優先度が用いられている異周波数セルにおける無線品質を測定するものであり、第３測定は、移動局ＵＥが現在通信中のセルよりも低い優先度の周波数が用いられている異周波数セルにおける無線品質を測定することを主目的とした測定である。
【００４０】
例えば、第１判定条件は、以下の（式１）に示す条件式に基づいて定義される。
【００４１】
測定対象セルにおける無線品質＞所定閾値Ｔｈ１  …  （式１）
【００４２】
また、第２判定条件は、以下の（式２）に示す条件式に基づいて定義される。
【００４３】
測定対象セルにおける無線品質＋所定オフセット値＞現在通信中のセルにおける無線品質  …  （式２）
【００４４】
さらに、第３判定条件は、以下の（式３）に示す条件式に基づいて定義される。
【００４５】
現在通信中のセルにおける無線品質＜所定閾値Ｔｈ２、かつ、測定対象セルにおける無線品質＞所定閾値Ｔｈ３  …  （式３）
【００４６】
「パラメータ」は、上述の所定閾値Ｔｈ１乃至Ｔｈ３や所定オフセット値等のパラメータを含む。
【００４７】
また、上述の判定条件において、測定対象セルや現在通信中のセルにおける無線品質の測定結果に対して、セル固有の補正値が加味されてもよい。かかる補正値は、特定のセルへの遷移をし易く、或いは、特定のセルへの遷移をし難くするために用いられ、報知信号又は個別信号で指定される。
【００４８】
なお、かかるパラメータとして、上述の無線品質の測定を行うタイミング（「Ｔｉｍｅ  ｔｏ  Ｔｒｉｇｇｅｒ」）や、Ｍｅａｓｕｒｅｍｅｎｔ  Ｒｅｐｏｒｔを送信する間隔（「Ｒｅｐｏｒｔｉｎｇ  Ｉｎｔｅｒｖａｌ」）や、Ｍｅａｓｕｒｅｍｅｎｔ  Ｒｅｐｏｒｔの最大送信回数（「Ｍａｘｉｍｕｍ  Ｎｕｍｂｅｒ  ｏｆ  Ｒｅｐｏｒｔｉｎｇ」）等が含まれていてもよい。
【００４９】
Ｍｅａｓｕｒｅｍｅｎｔ  Ｏｂｊｅｃｔ指定コマンド受信部１２は、報知信号又は個別信号を介して無線基地局ｅＮＢから送信されたＭｅａｓｕｒｅｍｅｎｔ  Ｏｂｊｅｃｔ指定コマンド（測定対象指定コマンド）を受信し、測定情報記憶部１４における「Ｍｅａｓｕｒｅｍｅｎｔ  Ｏｂｊｅｃｔ（測定対象）」の追加或いは削除を行うように構成されている。
【００５０】
Ｍｅａｓｕｒｅｍｅｎｔ  Ｏｂｊｅｃｔは、各移動局ＵＥについて、無線品質の測定を行うべき周波数及び当該周波数の優先度を規定するものである。なお、Ｍｅａｓｕｒｅｍｅｎｔ  Ｏｂｊｅｃｔは、各移動局ＵＥについて、無線品質の測定を行うべき周波数（無線アクセス技術を含む）のみ規定し、当該周波数の優先度を規定しないように構成されていてもよい。  測定情報記憶部１３は、各Ｍｅａｓｕｒｅｍｅｎｔ  Ｒｕｌｅと各Ｍｅａｓｕｒｅｍｅｎｔ  Ｏｂｊｅｃｔとを関連付けて記憶するように構成されている。
【００５１】
例えば、測定情報記憶部１３は、図３に示すように、Ｍｅａｓｕｒｅｍｅｎｔ  Ｒｕｌｅ指定コマンド受信部１１によって受信されたＭｅａｓｕｒｅｍｅｎｔ  Ｒｕｌｅを記憶するように構成されている。
【００５２】
また、測定情報記憶部１３は、図４に示すように、Ｍｅａｓｕｒｅｍｅｎｔ  Ｏｂｊｅｃｔ指定コマンド受信部１２によって受信されたＭｅａｓｕｒｅｍｅｎｔ  Ｏｂｊｅｃｔを記憶するように構成されている。
【００５３】
そして、測定情報記憶部１３は、図４に示すテーブルにおける「Ｍｅａｓｕｒｅｍｅｎｔ  Ｒｕｌｅ-ＩＤ」に、図３に示すテーブルにおける「Ｍｅａｓｕｒｅｍｅｎｔ  Ｒｕｌｅ-ＩＤ」を設定することによって、各Ｍｅａｓｕｒｅｍｅｎｔ  Ｒｕｌｅと各Ｍｅａｓｕｒｅｍｅｎｔ  Ｏｂｊｅｃｔとを関連付けて記憶するように構成されている。
【００５４】
なお、図４の例では、移動局ＵＥが、周波数ｆ３が用いられているＬＴＥセル＃３との間で現在通信中であることが示されている。
【００５５】
また、図４の例では、「Ｍｅａｓｕｒｅｍｅｎｔ  Ｒｕｌｅ-ＩＤ＝＃１」によって識別される判定条件を用いて、周波数ｆ１が用いられているＬＴＥセル＃１における無線品質に基づいてＭｅａｓｕｒｅｍｅｎｔ  Ｒｅｐｏｒｔを送信すべきか否かについて判定し、「Ｍｅａｓｕｒｅｍｅｎｔ  Ｒｕｌｅ-ＩＤ＝＃２、＃３」によって識別される判定条件を用いて、周波数ｆ２が用いられているＬＴＥセル＃２における無線品質に基づいてＭｅａｓｕｒｅｍｅｎｔ  Ｒｅｐｏｒｔを送信すべきか否かについて判定し、「Ｍｅａｓｕｒｅｍｅｎｔ  Ｒｕｌｅ-ＩＤ＝＃４」によって識別される判定条件を用いて、周波数ｆ４が用いられているＵＴＲＡＮセル＃１における無線品質に基づいてＭｅａｓｕｒｅｍｅｎｔ  Ｒｅｐｏｒｔを送信すべきか否かについて判定し、「Ｍｅａｓｕｒｅｍｅｎｔ  Ｒｕｌｅ-ＩＤ＝＃４」によって識別される判定条件を用いて、周波数ｆ５が用いられているＵＴＲＡＮセル＃２における無線品質に基づいてＭｅａｓｕｒｅｍｅｎｔ  Ｒｅｐｏｒｔを送信すべきか否かについて判定し、「Ｍｅａｓｕｒｅｍｅｎｔ  Ｒｕｌｅ-ＩＤ＝＃４」によって識別される判定条件を用いて、周波数（バンド）ｆ６が用いられているＧＥＲＡＮセル＃１における無線品質に基づいてＭｅａｓｕｒｅｍｅｎｔ  Ｒｅｐｏｒｔを送信すべきか否かについて判定すべき旨が規定されている。
【００５６】
測定部１４は、測定情報記憶部１３に記憶されているＭｅａｓｕｒｅｍｅｎｔ  Ｏｂｊｅｃｔによって規定されている周波数が用いられている異周波数セルにおける無線品質の測定を行うように構成されている。
【００５７】
例えば、測定部１４は、測定情報記憶部１３に記憶されているＭｅａｓｕｒｅｍｅｎｔ  Ｏｂｊｅｃｔによって規定されている周波数が用いられている異周波数セルのうち、Ｍｅａｓｕｒｅｍｅｎｔ  Ｒｕｌｅが関連付けられている全ての異周波数セル（すなわち、図４に示すテーブルにおいて「Ｍｅａｓｕｒｅｍｅｎｔ  Ｒｕｌｅ-ＩＤ」が設定されている全ての異周波数セル）における無線品質の測定を行うように構成されていている。
【００５８】
Ｍｅａｓｕｒｅｍｅｎｔ  Ｒｅｐｏｒｔ送信部１５は、測定部１４によって測定された無線品質に基づいて、当該Ｍｅａｓｕｒｅｍｅｎｔ  Ｏｂｊｅｃｔに関連付けられているＭｅａｓｕｒｅｍｅｎｔ  Ｒｕｌｅによって定義されている判定条件が満たされると判定した場合のみ、無線基地局ｅＮＢに対して、Ｍｅａｓｕｒｅｍｅｎｔ  Ｒｅｐｏｒｔを送信するように構成されている。
【００５９】
具体的には、Ｍｅａｓｕｒｅｍｅｎｔ  Ｒｅｐｏｒｔ送信部１５は、図３に示すように、測定情報記憶部１３に記憶されているＭｅａｓｕｒｅｍｅｎｔ  Ｒｕｌｅに含まれる「Ｍｅａｓｕｒｅｍｅｎｔ  Ｒｕｌｅ-ＩＤ」と「Ｅｖｅｎｔ-Ｔｙｐｅ」と「パラメータ」とによって定義される判定条件を用いて、当該Ｍｅａｓｕｒｅｍｅｎｔ  Ｒｕｌｅに関連付けられているＭｅａｓｕｒｅｍｅｎｔ  Ｏｂｊｅｃｔにおける無線品質に基づいてＭｅａｓｕｒｅｍｅｎｔ  Ｒｅｐｏｒｔを送信すべきか否かについて判定するように構成されている。
【００６０】
図４の例では、Ｍｅａｓｕｒｅｍｅｎｔ  Ｒｅｐｏｒｔ送信部１５は、「Ｍｅａｓｕｒｅｍｅｎｔ  Ｒｕｌｅ-ＩＤ＝＃１」によって識別される判定条件を用いてＬＴＥセル＃１における無線品質に基づいてＭｅａｓｕｒｅｍｅｎｔ  Ｒｅｐｏｒｔを送信すべきか否かについて判定し、「Ｍｅａｓｕｒｅｍｅｎｔ  Ｒｕｌｅ-ＩＤ＝＃２、＃３」によって識別される判定条件を用いてＬＴＥセル＃２における無線品質に基づいてＭｅａｓｕｒｅｍｅｎｔ  Ｒｅｐｏｒｔを送信すべきか否かについて判定し、「Ｍｅａｓｕｒｅｍｅｎｔ  Ｒｕｌｅ-ＩＤ＝＃４」によって識別される判定条件を用いてＵＴＲＡＮセル＃１における無線品質に基づいてＭｅａｓｕｒｅｍｅｎｔ  Ｒｅｐｏｒｔを送信すべきか否かについて判定し、「Ｍｅａｓｕｒｅｍｅｎｔ  Ｒｕｌｅ-ＩＤ＝＃４」によって識別される判定条件を用いてＵＴＲＡＮセル＃２における無線品質に基づいてＭｅａｓｕｒｅｍｅｎｔ  Ｒｅｐｏｒｔを送信すべきか否かについて判定し、「Ｍｅａｓｕｒｅｍｅｎｔ  Ｒｕｌｅ-ＩＤ＝＃４」によって識別される判定条件を用いてＧＥＲＡＮセル＃１における無線品質に基づいてＭｅａｓｕｒｅｍｅｎｔ  Ｒｅｐｏｒｔを送信すべきか否かについて判定するように構成されている。
【００６１】
ここで、Ｍｅａｓｕｒｅｍｅｎｔ  Ｒｅｐｏｒｔ送信部１５は、優先度が高い周波数が用いられているセルから順番に、上述の判定を行うように構成されており、１つ又は所定数のＭｅａｓｕｒｅｍｅｎｔ  Ｒｅｐｏｒｔを送信した後は、上述の判定を行わないように構成されていてもよい。
【００６２】
なお、Ｍｅａｓｕｒｅｍｅｎｔ  Ｒｅｐｏｒｔ送信部１５は、（式１）乃至（式３）に示す第１判定条件乃至第３判定条件の雛形を予め記憶しており、上述の「Ｅｖｅｎｔ-Ｔｙｐｅ」によって特定されている第１判定条件乃至第３判定条件の雛形のいずれかを選択し、選択した判定条件の雛形に対して、上述の「パラメータ」に含まれるパラメータ（所定閾値等）を代入したものを、上述の判定に用いる判定条件とするように構成されている。
【００６３】
例えば、図３のケースでは、Ｍｅａｓｕｒｅｍｅｎｔ  Ｒｅｐｏｒｔ送信部１５は、「Ｅｖｅｎｔ-Ｔｙｐｅ＝Ｂ１」に対応する（式１）に示す第１判定条件の雛形に対して、「Ｅｖｅｎｔ-Ｔｙｐｅ＝Ｂ１」に関連付けられている「パラメータ」に含まれるパラメータ（所定閾値Ｔｈ１）を代入したものを、上述の判定に用いる判定条件とするように構成されていてもよい。
【００６４】
また、Ｍｅａｓｕｒｅｍｅｎｔ  Ｒｅｐｏｒｔ送信部１５は、「Ｅｖｅｎｔ-Ｔｙｐｅ＝Ｂ２」に対応する（式２）に示す第２判定条件の雛形に対して、「Ｅｖｅｎｔ-Ｔｙｐｅ＝Ｂ２」に関連付けられている「パラメータ」に含まれるパラメータ（所定オフセット値）を代入したものを、上述の判定に用いる判定条件とするように構成されていてもよい。
【００６５】
さらに、Ｍｅａｓｕｒｅｍｅｎｔ  Ｒｅｐｏｒｔ送信部１５は、「Ｅｖｅｎｔ-Ｔｙｐｅ＝Ｂ３」に対応する（式３）に示す第３判定条件の雛形に対して、「Ｅｖｅｎｔ-Ｔｙｐｅ＝Ｂ３」に関連付けられている「パラメータ」に含まれるパラメータ（所定閾値Ｔｈ２、Ｔｈ３）を代入したものを、上述の判定に用いる判定条件とするように構成されていてもよい。
【００６６】
なお、かかる判定条件の雛形は、上述の（式１）乃至（式３）に示すもの以外であってもよい。
【００６７】
ハンドオーバ処理部１６は、無線基地局ｅＮＢからの指示に応じて、異周波数ハンドオーバを行うように構成されている。
【００６８】
ここで、異周波数ハンドオーバが行われた場合、測定情報記憶部１３は、自律的に、記憶している測定規則と測定対象との関連付けを変更するように構成されている。
【００６９】
具体的には、異周波数ハンドオーバが行われた場合、測定情報記憶部１３は、測定対象によって規定されている周波数の優先度に応じて、測定規則と測定対象との関連付けを変更するように構成されている。かかる関連付けの具体的な変更方法については、図７乃至図１１を参照して後述する。
【００７０】
図５に示すように、本実施形態に係る無線基地局ｅＮＢは、トリガ検出部２１と、Ｍｅａｓｕｒｅｍｅｎｔ  Ｒｕｌｅ指定コマンド送信部２２と、Ｍｅａｓｕｒｅｍｅｎｔ  Ｏｂｊｅｃｔ指定コマンド送信部２３とを具備している。
【００７１】
トリガ検出部２１は、特定の移動局ＵＥに対してＭｅａｓｕｒｅｍｅｎｔ  Ｒｕｌｅ指定コマンドやＭｅａｓｕｒｅｍｅｎｔ  Ｏｂｊｅｃｔ指定コマンドを送信するトリガを検出するように構成されている。
【００７２】
かかるトリガとしては、特定の移動局ＵＥが「Ｉｄｌｅ状態」から「Ａｃｔｉｖｅ状態」に遷移したことや、特定の移動局ＵＥが異周波数ハンドオーバを行ったことや、特定の移動局ＵＥと当該特定の移動局が現在通信中のセルとの間の通信状況が所定条件を満たしたこと等が想定される。
【００７３】
Ｍｅａｓｕｒｅｍｅｎｔ  Ｒｕｌｅ指定コマンド送信部２２は、トリガ検出部２１によって、特定の移動局ＵＥに対してＭｅａｓｕｒｅｍｅｎｔ  Ｒｕｌｅ指定コマンドを送信するトリガが検出された場合、「Ｍｅａｓｕｒｅｍｅｎｔ  Ｒｕｌｅ-ＩＤ」と「Ｅｖｅｎｔ-Ｔｙｐｅ」と「パラメータ」とを含むＭｅａｓｕｒｅｍｅｎｔ  Ｒｕｌｅ指定コマンドを送信するように構成されている。
【００７４】
また、Ｍｅａｓｕｒｅｍｅｎｔ  Ｒｕｌｅ指定コマンド送信部２２は、特定の移動局ＵＥ内の測定情報記憶部１３に対して、Ｍｅａｓｕｒｅｍｅｎｔ  Ｒｕｌｅの追加或いは削除を指定するＭｅａｓｕｒｅｍｅｎｔ  Ｒｕｌｅ指定コマンドを送信するように構成されている。
【００７５】
Ｍｅａｓｕｒｅｍｅｎｔ  Ｏｂｊｅｃｔ指定コマンド送信部２３は、トリガ検出部２１によって、特定の移動局ＵＥに対してＭｅａｓｕｒｅｍｅｎｔ  Ｏｂｊｅｃｔ指定コマンドを送信するトリガが検出された場合、Ｍｅａｓｕｒｅｍｅｎｔ  Ｒｕｌｅ指定コマンドとは別に、「ＲＡＴ」と「周波数」と「優先度」とを含むＭｅａｓｕｒｅｍｅｎｔ  Ｏｂｊｅｃｔ指定コマンドを送信するように構成されている。
【００７６】
また、Ｍｅａｓｕｒｅｍｅｎｔ  Ｏｂｊｅｃｔ指定コマンド送信部２３は、特定の移動局ＵＥ内の測定情報記憶部１３に対して、Ｍｅａｓｕｒｅｍｅｎｔ  Ｏｂｊｅｃｔの追加或いは削除を指定するＭｅａｓｕｒｅｍｅｎｔ  Ｏｂｊｅｃｔ指定コマンドを送信するように構成されている。
【００７７】
なお、Ｍｅａｓｕｒｅｍｅｎｔ  Ｒｕｌｅ指定コマンド送信部２２及びＭｅａｓｕｒｅｍｅｎｔ  Ｏｂｊｅｃｔ指定コマンド送信部２３は、特定の移動局ＵＥに対して、異なるシグナリング（報知信号或いは個別信号）で、Ｍｅａｓｕｒｅｍｅｎｔ  Ｏｂｊｅｃｔ指定コマンド及びＭａｐｐｉｎｇ指定コマンドを送信するように構成されていてもよい。
【００７８】
また、移動局ＵＥの異周波数ハンドオーバ時には、Ｍｅａｓｕｒｅｍｅｎｔ  Ｒｕｌｅ指定コマンド送信部２２が、ハンドオーバをトリガするコマンドによって、ハンドオーバ先のセルで用いるべきＭｅａｓｕｒｅｍｅｎｔ  Ｒｕｌｅを指定するためのＭｅａｓｕｒｅｍｅｎｔ  Ｒｕｌｅ指定コマンドを送信し、Ｍｅａｓｕｒｅｍｅｎｔ  Ｏｂｊｅｃｔ指定コマンド送信部２３が、ハンドオーバをトリガするコマンドによって、ハンドオーバ先のセルで用いるべきＭｅａｓｕｒｅｍｅｎｔ  Ｏｂｊｅｃｔを指定するためのＭｅａｓｕｒｅｍｅｎｔ  Ｏｂｊｅｃｔ指定コマンドを送信してもよい。
【００７９】
（本発明の第１の実施形態に係る移動局ＵＥの動作）
図６乃至図１１を参照して、本発明の第１の実施形態に係る移動局ＵＥの動作について説明する。
【００８０】
図６に示すように、ステップＳ１０１において、移動局ＵＥの測定部１４は、所定タイミングで、測定情報記憶部１３に記憶されている各Ｍｅａｓｕｒｅｍｅｎｔ  Ｏｂｊｅｃｔによって規定されている優先度に応じて、当該Ｍｅａｓｕｒｅｍｅｎｔ  Ｏｂｊｅｃｔによって規定されている各異周波数セル（周波数）における無線品質を測定する。
【００８１】
ステップＳ１０２において、Ｍｅａｓｕｒｅｍｅｎｔ  Ｒｅｐｏｒｔ送信部１５は、測定部１４によって測定された無線品質に基づいて、当該Ｍｅａｓｕｒｅｍｅｎｔ  Ｏｂｊｅｃｔに関連付けられているＭｅａｓｕｒｅｍｅｎｔ  Ｒｕｌｅによって定義されている判定条件が満たされるか否かについて判定し、かかる判定条件が満たされると判定した場合のみ、無線基地局ｅＮＢに対して、Ｍｅａｓｕｒｅｍｅｎｔ  Ｒｅｐｏｒｔを送信する。
【００８２】
ステップＳ１０３において、ハンドオーバ処理部１６が、無線基地局ｅＮＢからの指示に応じて、異周波数ハンドオーバを行った場合には、本動作は、ステップＳ１０４に進み、それ以外の場合は、本動作は、ステップＳ１０１に戻る。
【００８３】
ステップＳ１０４において、測定情報記憶部１３は、記憶している各Ｍｅａｓｕｒｅｍｅｎｔ  Ｒｕｌｅと各Ｍｅａｓｕｒｅｍｅｎｔ  Ｏｂｊｅｃｔとの関連付けを変更する。
【００８４】
以下、かかる関連付けの変更方法の例について、図７乃至図１１を参照して説明する。なお、異周波数ハンドオーバが行われる前の各Ｍｅａｓｕｒｅｍｅｎｔ  Ｒｕｌｅと各Ｍｅａｓｕｒｅｍｅｎｔ  Ｏｂｊｅｃｔとの関連付けは、図４に示す通りであるものとする。
【００８５】
第１に、図７を参照して、異周波数ハンドオーバによって、移動局ＵＥと通信中のセルが、ＬＴＥセル＃３（周波数ｆ３）からＬＴＥセル＃１（周波数ｆ１）に遷移した場合の例について説明する。
【００８６】
かかる異周波数ハンドオーバの後、移動局ＵＥと通信中のセル（ＬＴＥセル＃１）の優先度が「１」となり他の異周波数セルの優先度よりも高くなるため、他の異周波数セルにおける無線品質の測定は、上述の「第３測定」によって行われることになる。
【００８７】
したがって、図７に示すように、ＬＴＥセル＃２及びＬＴＥセル＃３に対応するＭｅａｓｕｒｅｍｅｎｔ  Ｏｂｊｅｃｔに対して関連付ける「Ｍｅａｓｕｒｅｍｅｎｔ  Ｒｕｌｅ-ＩＤ」を「＃４（第３判定条件の識別情報）」に変更する。
【００８８】
第２に、図８を参照して、異周波数ハンドオーバによって、移動局ＵＥと通信中のセルが、ＬＴＥセル＃３（周波数ｆ３）からＬＴＥセル＃２（周波数ｆ２）に遷移した場合の例について説明する。
【００８９】
かかる異周波数ハンドオーバの後、移動局ＵＥと通信中のセルの優先度は「２」のまま変わらないが、移動局ＵＥと通信中のセルはＬＴＥセル＃３からＬＴＥセル＃２に変わったため、図８に示すように、ＬＴＥセル＃２を現在通信中のセルとし、ＬＴＥセル＃３に対応するＭｅａｓｕｒｅｍｅｎｔ  Ｏｂｊｅｃｔに対して関連付ける「Ｍｅａｓｕｒｅｍｅｎｔ  Ｒｕｌｅ-ＩＤ」を「＃２、＃３（第２判定条件の識別情報）」に変更する。
【００９０】
第３に、図９を参照して、異周波数ハンドオーバによって、移動局ＵＥと通信中のセルが、ＬＴＥセル＃３（周波数ｆ３）からＵＴＲＡＮセル＃１（周波数ｆ４）に遷移した場合の例について説明する。
【００９１】
かかる異周波数ハンドオーバの後、移動局ＵＥと通信中のセル（ＵＴＲＡＮセル＃１）の優先度が「３」となるため、図９に示すように、ＵＴＲＡＮセル＃１を現在通信中のセルとし、ＬＴＥセル＃２及びＬＴＥセル＃３に対応するＭｅａｓｕｒｅｍｅｎｔ  Ｏｂｊｅｃｔに対して関連付ける「Ｍｅａｓｕｒｅｍｅｎｔ  Ｒｕｌｅ-ＩＤ」を「＃１（第１判定条件の識別情報）」に変更する。
【００９２】
第４に、図１０を参照して、異周波数ハンドオーバによって、移動局ＵＥと通信中のセルが、ＬＴＥセル＃３（周波数ｆ３）からＵＴＲＡＮセル＃２（周波数ｆ５）に遷移した場合の例について説明する。
【００９３】
かかる異周波数ハンドオーバの後、移動局ＵＥと通信中のセル（ＵＴＲＡＮセル＃２）の優先度が「４」となるため、図１０に示すように、ＵＴＲＡＮセル＃２を現在通信中のセルとし、ＬＴＥセル＃２とＬＴＥセル＃３とＵＴＲＡＮセル＃１とに対応するＭｅａｓｕｒｅｍｅｎｔ  Ｏｂｊｅｃｔに対して関連付ける「Ｍｅａｓｕｒｅｍｅｎｔ  Ｒｕｌｅ-ＩＤ」を「＃１（第１判定条件の識別情報）」に変更する。
【００９４】
第５に、図１１を参照して、異周波数ハンドオーバによって、移動局ＵＥと通信中のセルが、ＬＴＥセル＃３（周波数ｆ３）からＧＥＲＡＮセル＃１（周波数ｆ６）に遷移した場合の例について説明する。
【００９５】
かかる異周波数ハンドオーバの後、移動局ＵＥと通信中のセル（ＧＥＲＡＮセル＃１）の優先度が「５」となるため、図１１に示すように、ＧＥＲＡＮセル＃１を現在通信中のセルとし、ＬＴＥセル＃２とＬＴＥセル＃３とＵＴＲＡＮセル＃１とＵＴＲＡＮセル＃２とに対応するＭｅａｓｕｒｅｍｅｎｔ  Ｏｂｊｅｃｔに対して関連付ける「Ｍｅａｓｕｒｅｍｅｎｔ  Ｒｕｌｅ-ＩＤ」を「＃１（第１判定条件の識別情報）」に変更する。
【００９６】
（本発明の第１の実施形態に係る移動通信システムの作用・効果）
本実施形態に係る移動通信システムによれば、移動局ＵＥが、異周波数ハンドオーバを行った場合には、自律的に、判定条件を定義する測定規則と、周波数及び優先度を規定する測定対象との関連付けを変更するように構成されているため、ハンドオーバに伴うシグナリングを削減することができ、移動局ＵＥによってＭｅａｓｕｒｅｍｅｎｔ  Ｒｅｐｏｒｔを送信するべきか否かについて判定するための判定条件について柔軟に変更することができる。
【００９７】
（変更例１）
以下、図１２乃至図１９を参照して、本発明の変更例１に係る移動通信システムについて、上述の第１の実施形態に係る移動通信システムとの相違点に着目して説明する。
【００９８】
変更例１では、図１２に示すように、測定情報記憶部１３は、測定規則（Ｍｅａｓｕｒｅｍｅｎｔ  Ｒｕｌｅ、すなわち、Ｒｅｐｏｒｔｉｎｇ  Ｃｏｎｆｉｇｕｒａｔｉｏｎ（ＲＣ））の識別情報と、測定対象（Ｍｅａｓｕｒｅｍｅｎｔ  Ｏｂｊｅｃｔ（ＭＯ））の識別情報と、測定規則の識別情報と測定対象の識別情報との関連付け情報（Ｍｅａｓｕｒｅｍｅｎｔ-ＩＤ（ＭＩＤ））とを記憶することによって、測定規則と測定対象とを関連付けて記憶するように構成されている。
【００９９】
図１２の例では、測定情報記憶部１３は、測定対象（ＬＴＥ/ｆ１）の識別情報（ＭＯ＃０）と測定規則（Ｅｖｅｎｔ  Ａ１）の識別情報（ＲＣ＃０）とを関連付ける関連付け情報（ＭＩＤ＃０）と、測定対象（ＬＴＥ/ｆ１）の識別情報（ＭＯ＃０）と測定規則（Ｅｖｅｎｔ  Ａ２）の識別情報（ＲＣ＃１）とを関連付ける関連付け情報（ＭＩＤ＃１）と、測定対象（ＬＴＥ/ｆ２）の識別情報（ＭＯ＃１）と測定規則（Ｅｖｅｎｔ  Ａ３）の識別情報（ＲＣ＃２）とを関連付ける関連付け情報（ＭＩＤ＃２）と、測定対象（ＬＴＥ/ｆ３）の識別情報（ＭＯ＃２）と測定規則（Ｅｖｅｎｔ  Ａ３）の識別情報（ＲＣ＃２）とを関連付ける関連付け情報（ＭＩＤ＃３）と、測定対象（ＵＴＲＡ/ｆ４）の識別情報（ＭＯ＃３）と測定規則（Ｅｖｅｎｔ  Ｂ２）の識別情報（ＲＣ＃３）とを関連付ける関連付け情報（ＭＩＤ＃４）とを記憶している。
【０１００】
測定情報記憶部１３は、測定規則と測定対象と関連付け情報とを別々に管理しており、測定規則と測定対象と関連付け情報とについて、内容の追加や変更や削除を別々に行うことができるように構成されていてもよい。ここで、測定部１４は、関連付け情報において設定されている測定対象について、上述の測定を行うように構成されていてもよい。
【０１０１】
また、測定情報記憶部１３は、特定の測定対象（ＭＯ＃０）や特定の測定規則（ＲＣ＃０）を削除したときは、これらの特定の測定対象（ＭＯ＃０）や特定の測定規則（ＲＣ＃０）を含む関連付け情報（ＭＩＤ＃０/ＭＩＤ＃１）を削除するように構成されていてもよい。なお、測定対象及び測定規則は、いずれの関連付け情報にも含まれていなくてもよい。
【０１０２】
また、測定情報記憶部１３は、異周波数ハンドオーバが行われる場合、現在通信中のセルに対応する第１測定対象の識別情報と、ハンドオーバ先のセルに対応する第２測定対象の識別情報とを入れ替えるように構成されていてもよい。
【０１０３】
例えば、異周波数ハンドオーバが行われる場合、測定情報記憶部１３の記憶内容は、図１２に示す状態から図１３に示す状態に遷移する。すなわち、異周波数ハンドオーバが行われる場合、測定情報記憶部１３が、現在通信中のセルに対応する第１測定対象（ＬＴＥ/ｆ１）の識別情報（ＭＯ＃０）と、ハンドオーバ先のセルに対応する第２測定対象（ＬＴＥ/ｆ２）の識別情報（ＭＯ＃１）とを入れ替えることによって、ハンドオーバ先のセルに対応する第２測定対象（ＬＴＥ/ｆ２）の識別情報が「ＭＯ＃０」となり、現在通信中のセルに対応する第１測定対象（ＬＴＥ/ｆ１）の識別情報が「ＭＯ＃１」となる。ここで、ＭＩＤについては変更されない。
【０１０４】
或いは、測定情報記憶部１３は、異周波数ハンドオーバが行われる場合、現在通信中のセルに対応する第１測定対象の識別情報と第１測定規則の識別情報とを関連付ける第１関連付け情報における第１測定対象の識別情報と、ハンドオーバ先のセルに対応する第２測定対象の識別情報と第２測定規則の識別情報とを関連付ける第２関連付け情報における第２測定対象の識別情報とを入れ替えるように構成されていてもよい。
【０１０５】
例えば、異周波数ハンドオーバが行われる場合、測定情報記憶部１３の記憶内容は、図１２に示す状態から図１４に示す状態に遷移する。すなわち、異周波数ハンドオーバが行われる場合、測定情報記憶部１３が、現在通信中のセルに対応する第１測定対象（ＬＴＥ/ｆ１）の識別情報（ＭＯ＃０）と第１測定規則（Ｅｖｅｎｔ  Ａ１/Ｅｖｅｎｔ  Ａ２）の識別情報（ＲＣ＃０）とを関連付ける第１関連付け情報（ＭＩＤ＃０/ＭＩＤ＃１）における第１測定対象（ＬＴＥ/ｆ１）の識別情報（ＭＯ＃０）と、ハンドオーバ先のセルに対応する第２測定対象（ＬＴＥ/ｆ２）の識別情報（ＭＯ＃１）と第２測定規則（Ｅｖｅｎｔ  Ａ３）の識別情報（ＲＣ＃２）とを関連付ける第２関連付け情報（ＭＩＤ＃２）における第２測定対象（ＬＴＥ/ｆ２）の識別情報（ＭＯ＃１）とを入れ替えるように構成されていてもよい。
【０１０６】
この結果、測定対象の識別情報及び測定規則の識別情報自身は変更されず、関連付け情報内の測定対象の識別情報と測定規則の識別情報との関連付け内容が変更されることになる。
【０１０７】
なお、測定情報記憶部１３は、異周波数ハンドオーバが行われる場合、ハンドオーバ先のセルに対応する第２測定対象の識別情報を記憶していない場合、第１測定対象の識別情報と第１測定規則の識別情報とを関連付ける前記第１関連付け情報を削除するように構成されていてもよい。
【０１０８】
ハンドオーバ処理部１６は、無線基地局ｅＮＢから、図１５に示す「ＲＲＣ  Ｃｏｎｎｅｃｔｉｏｎ  Ｒｅｃｏｎｆｉｇｕｒａｔｉｏｎ」を受信した場合に、「ＲＲＣ  Ｃｏｎｎｅｃｔｉｏｎ  Ｒｅｃｏｎｆｉｇｕｒａｔｉｏｎ」に「ｍｏｂｉｌｉｔｙＣｏｎｔｒｏｌＩｎｆｏｒｍａｔｉｏｎ」が含まれており、更に「ｍｏｂｉｌｉｔｙＣｏｎｔｒｏｌＩｎｆｏｒｍａｔｉｏｎ」で現在通信中のセルとは異なる周波数のセルがハンドオーバ先として指定されていた場合に、上述の異周波数ハンドオーバを行うように構成されている。
【０１０９】
また、かかる「ＲＲＣ  Ｃｏｎｎｅｃｔｉｏｎ  Ｒｅｃｏｎｆｉｇｕｒａｔｉｏｎ」に「ｍｅａｓｕｒｅｍｅｎｔＣｏｎｆｉｇｕｒａｔｉｏｎ」が含まれていた場合には、測定情報記憶部１３は、かかる「ｍｅａｓｕｒｅｍｅｎｔＣｏｎｆｉｇｕｒａｔｉｏｎ」に従って記憶内容を変更するように構成されている。
【０１１０】
具体的には、「ｍｅａｓｕｒｅｍｅｎｔＣｏｎｆｉｇｕｒａｔｉｏｎ」によって指定された通りに、測定対象、測定規則、或いは測定対象と測定規則の関連付け情報の追加、変更又は削除が行われるように構成されている。
【０１１１】
かかる場合、すなわち、無線基地局ｅＮＢからの指示（「ＲＲＣ  Ｃｏｎｎｅｃｔｉｏｎ  Ｒｅｃｏｎｆｉｇｕｒａｔｉｏｎ」）において、異周波数ハンドオーバを行うこと（「ｍｏｂｉｌｉｔｙＣｏｎｔｒｏｌＩｎｆｏｒｍａｔｉｏｎ」）に加えて、測定情報記憶部１３における記憶内容に対する変更（測定対象、測定規則、或いは測定対象と測定規則の関連付け情報の追加、変更又は削除を指定する「ｍｅａｓｕｒｅｍｅｎｔＣｏｎｆｉｇｕｒａｔｉｏｎ」）を指示している場合、測定情報記憶部１３は、上述の入れ替え（ｓｗａｐｐｉｎｇ）を行った後に、かかる測定情報記憶部１３に対する変更を行うように構成されていてもよい。
【０１１２】
ここで、測定情報記憶部１３が、図１２に示す状態から、上述の測定情報記憶部１３に対する変更を行った後、上述の入れ替えを行うケースについて、図１６及び図１７を参照して考える。
【０１１３】
図１６に示すように、第１に、測定情報記憶部１３は、上述の「ｍｅａｓｕｒｅｍｅｎｔＣｏｎｆｉｇｕｒａｔｉｏｎ」に基づいて、測定対象の識別情報（ＭＯ＃０）を削除し、かかる測定対象の識別情報を含む関連付け情報（ＭＩＤ＃０/ＭＩＤ＃１）を削除する。
【０１１４】
第２に、測定情報記憶部１３は、上述の入れ替え、すなわち、測定対象の識別情報自身の入れ替え（ＭＯ＃０とＭＯ＃１との入れ替え）、或いは、関連付け情報における測定対象の識別情報の入れ替え（ＭＩＤ＃０/ＭＩＤ＃１/ＭＩＤ＃２におけるＭＯ＃０とＭＯ＃１との入れ替え）を試みるが、「ＭＯ＃０」及び「ＭＩＤ＃０/ＭＩＤ＃１」が削除されているため、失敗する（図１７参照）。
【０１１５】
その結果、測定情報記憶部１３において、現在通信中のセルに対する測定対象が管理されない状態となり、３ＧＰＰ規格上、許容できない状態となる。
【０１１６】
これに対して、測定情報記憶部１３が、図１２に示す状態から、上述の入れ替えを行った後、上述の測定情報記憶部１３に対する変更を行うケースについて、図１８及び図１９を参照して考える。
【０１１７】
図１８に示すように、第１に、測定情報記憶部１３は、上述の「ｍｏｂｉｌｉｔｙＣｏｎｔｒｏｌＩｎｆｏｒｍａｔｉｏｎ」に基づいて、上述の入れ替え、すなわち、測定対象の識別情報自身の入れ替え（ＭＯ＃０とＭＯ＃１との入れ替え）、或いは、関連付け情報における測定対象の識別情報の入れ替え（ＭＩＤ＃０/ＭＩＤ＃１/ＭＩＤ＃２におけるＭＯ＃０とＭＯ＃１との入れ替え）を行う。
【０１１８】
第２に、測定情報記憶部１３は、上述の「ｍｅａｓｕｒｅｍｅｎｔＣｏｎｆｉｇｕｒａｔｉｏｎ」に基づいて、ハンドオーバ元のセルに対応する測定対象（ＬＴＥ/ｆ１）の識別情報（ＭＯ＃０）を削除し、かかる測定対象の識別情報を含む関連付け情報（ＭＩＤ＃２）を削除する。
【０１１９】
この結果、測定情報記憶部１３は、上述の「ｍｏｂｉｌｉｔｙＣｏｎｔｒｏｌＩｎｆｏｒｍａｔｉｏｎ」に基づく切り替えと、上述の「ｍｅａｓｕｒｅｍｅｎｔＣｏｎｆｉｇｕｒａｔｉｏｎ」に基づく測定情報記憶部１３の変更の両者を実現することができる。
【０１２０】
上述の判定条件には、「Ｅｖｅｎｔ  ｔｒｉｇｇｅｒｅｄ」タイプと、「Ｐｅｒｉｏｄｉｃａｌ」タイプと、「Ｅｖｅｎｔ  ｔｒｉｇｇｅｒｅｄ  Ｐｅｒｉｏｄｉｃａｌ」タイプの３種類が存在する。
【０１２１】
例えば、「Ｅｖｅｎｔ  ｔｒｉｇｇｅｒｅｄ」タイプ又は「Ｅｖｅｎｔ  ｔｒｉｇｇｅｒｅｄ  Ｐｅｒｉｏｄｉｃａｌ」タイプの判定条件が設定されている場合には、Ｍｅａｓｕｒｅｍｅｎｔ  Ｒｅｐｏｒｔ送信部１５は、所定期間（Ｔｉｍｅ-ｔｏ-ｔｒｉｇｇｅｒ）継続して所定条件が満たされると、測定報告を送信するように構成されている。
【０１２２】
また、「Ｅｖｅｎｔ  ｔｒｉｇｇｅｒｅｄ  Ｐｅｒｉｏｄｉｃａｌ」タイプの判定条件が設定されている場合には、Ｍｅａｓｕｒｅｍｅｎｔ  Ｒｅｐｏｒｔ送信部１５は、一旦、測定報告を送信した後、特定の条件が満たされるまで（例えば、Ｎ回送信するまで）、かかる報告を一定周期で繰り返すように構成されている。
【０１２３】
ここで、判定条件が、「Ｅｖｅｎｔ  ｔｒｉｇｇｅｒｅｄ」タイプ又は「Ｅｖｅｎｔ  ｔｒｉｇｇｅｒｅｄ  Ｐｅｒｉｏｄｉｃａｌ」タイプである場合、ハンドオーバ（異周波数ハンドオーバ及び同一周波数ハンドオーバ）時に、Ｍｅａｓｕｒｅｍｅｎｔ  Ｒｅｐｏｒｔ送信部１５は、ハンドオーバ先のセルに対応する測定対象に関連付けられている測定規則においてトリガされているイベント（測定報告のインスタンス）をリセットしてもよい。
【０１２４】
なお、判定条件が、「Ｐｅｒｉｏｄｉｃａｌ」タイプである場合、Ｍｅａｓｕｒｅｍｅｎｔ  Ｒｅｐｏｒｔ送信部１５は、ハンドオーバが行われた後であっても、測定報告の送信を継続してもよい。
【０１２５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１２６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【０１２８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２９】
【図１】本発明の第１の実施形態に係る移動通信システムの全体構成図である。
【図２】本発明の第１の実施形態に係る移動局の機能ブロック図である。
【図３】本発明の第１の実施形態に係る移動局に記憶されているＭｅａｓｕｒｅｍｅｎｔ  Ｒｕｌｅの一例を示す図である。
【図４】本発明の第１の実施形態に係る移動局に記憶されているＭｅａｓｕｒｅｍｅｎｔ  Ｏｂｊｅｃｔの一例を示す図である。
【図５】本発明の第１の実施形態に係る無線基地局の機能ブロック図である。
【図６】本発明の第１の実施形態に係る移動局の動作を示すフローチャートである。
【図７】本発明の第１の実施形態に係る移動局に記憶されているＭｅａｓｕｒｅｍｅｎｔ  ＲｕｌｅとＭｅａｓｕｒｅｍｅｎｔ  Ｏｂｊｅｃｔとのマッピングが変化する様子を示す図である。
【図８】本発明の第１の実施形態に係る移動局に記憶されているＭｅａｓｕｒｅｍｅｎｔ  ＲｕｌｅとＭｅａｓｕｒｅｍｅｎｔ  Ｏｂｊｅｃｔとのマッピングが変化する様子を示す図である。
【図９】本発明の第１の実施形態に係る移動局に記憶されているＭｅａｓｕｒｅｍｅｎｔ  ＲｕｌｅとＭｅａｓｕｒｅｍｅｎｔ  Ｏｂｊｅｃｔとのマッピングが変化する様子を示す図である。
【図１０】本発明の第１の実施形態に係る移動局に記憶されているＭｅａｓｕｒｅｍｅｎｔ  ＲｕｌｅとＭｅａｓｕｒｅｍｅｎｔ  Ｏｂｊｅｃｔとのマッピングが変化する様子を示す図である。
【図１１】本発明の第１の実施形態に係る移動局に記憶されているＭｅａｓｕｒｅｍｅｎｔ  ＲｕｌｅとＭｅａｓｕｒｅｍｅｎｔ  Ｏｂｊｅｃｔとのマッピングが変化する様子を示す図である。
【図１２】本発明の変更例１に係る移動通信システムについて説明するための図である。
【図１３】本発明の変更例１に係る移動通信システムについて説明するための図である。
【図１４】本発明の変更例１に係る移動通信システムについて説明するための図である。
【図１５】本発明の変更例１に係る移動通信システムについて説明するための図である。
【図１６】本発明の変更例１に係る移動通信システムについて説明するための図である。
【図１７】本発明の変更例１に係る移動通信システムについて説明するための図である。
【図１８】本発明の変更例１に係る移動通信システムについて説明するための図である。
【図１９】本発明の変更例１に係る移動通信システムについて説明するための図である。
【符号の説明】
【０１３０】
ＵＥ…移動局
１１…Ｍｅａｓｕｒｅｍｅｎｔ  Ｒｕｌｅ指定コマンド受信部
１２…Ｍｅａｓｕｒｅｍｅｎｔ  Ｏｂｊｅｃｔ指定コマンド受信部
１３…測定情報記憶部
１４…測定部
１５…Ｍｅａｓｕｒｅｍｅｎｔ  Ｒｅｐｏｒｔ送信部
１６…ハンドオーバ処理部
ｅＮＢ…無線基地局
２１…トリガ検出部
２２…Ｍｅａｓｕｒｅｍｅｎｔ  Ｒｕｌｅ指定コマンド送信部
２３…Ｍｅａｓｕｒｅｍｅｎｔ  Ｏｂｊｅｃｔ指定コマンド送信部
【図１】
0004843008.tif 000002
【図２】
0004843008.tif 000003
【図３】
0004843008.tif 000004
【図４】
0004843008.tif 000005
【図５】
0004843008.tif 000006
【図６】
0004843008.tif 000007
【図７】
0004843008.tif 000008
【図８】
0004843008.tif 000009
【図９】
0004843008.tif 000010
【図１０】
0004843008.tif 000011
【図１１】
0004843008.tif 000012
【図１２】
0004843008.tif 000013
【図１３】
0004843008.tif 000014
【図１４】
0004843008.tif 000015
【図１５】
0004843008.tif 000016
【図１６】
0004843008.tif 000017
【図１７】
0004843008.tif 000018
【図１８】
0004843008.tif 000019
【図１９】
0004843008.tif 000020